(57)【特許請求の範囲】
【請求項１】
複数の単位区間で区画された無線フレームを用いて通信する基地局装置を複数備えた通信システムであって、
前記基地局装置は、
自装置が干渉を与える被干渉基地局装置に対して設定するブランク区間の前記無線フレームにおける設定位置を前記単位区間単位で設定する設定部と、
前記被干渉基地局装置による前記設定位置の適否に関する判定結果を取得する取得部と、を備え、
前記設定部は、前記判定結果が否定的である場合、前記無線フレームに含まれる前記複数の単位区間それぞれに割り当てられた前記設定位置を設定するための設定順序に基づいて定まる次の単位区間に対して前記設定位置を設定するものであり、
前記基地局装置の内、端末装置が各基地局装置に接続する際の優先度に関して前記被干渉基地局装置よりも優先度が低い複数の基地局装置は、その被干渉基地局装置に対する前記設定位置を設定するための設定順序について、互いに同一の設定順序を使用することを特徴とする通信システム。
【請求項２】
前記設定部は、前記判定結果が否定的である場合、すでに設定されている前記ブランク区間の設定位置をそのままに、未だ設定位置として設定されていない単位区間の内、前記設定順序によって定まる次の単位区間に対してさらに前記ブランク区間の設定位置を設定する請求項１に記載の通信システム。
【請求項３】
前記設定部は、
端末装置による接続の優先度が互いに異なる複数の基地局装置をそれぞれ被干渉基地局装置としている場合、これら被干渉基地局装置それぞれに対する前記設定位置を設定するための設定順序について、互いに異なる設定順序を使用する請求項１又は２に記載の通信システム。
【請求項４】
前記設定部は、前記設定位置を解除する場合、設定したときの設定順序とは逆の順序で前記設定位置を順次解除する請求項１〜３のいずれか一項に記載の通信システム。
【請求項５】
複数の単位区間で区画された無線フレームを用いて通信する基地局装置であって、
自装置が干渉を与える被干渉基地局装置に対して設定するブランク区間の前記無線フレームにおける設定位置を前記単位区間単位で設定する設定部と、
前記被干渉基地局装置による前記設定位置の適否に関する判定結果を取得する取得部と、を備え、
前記設定部は、前記判定結果が否定的である場合、前記無線フレームに含まれる前記複数の単位区間それぞれに割り当てられた前記設定位置を設定するための設定順序に基づいて定まる次の単位区間に対して前記設定位置を設定するとともに、
自装置以外の複数の他の基地局装置の内、端末装置が各基地局装置に接続する際の優先度に関して、自装置と同様に前記被干渉基地局装置よりも優先度が低い他の基地局装置との間で、その被干渉基地局装置に対する前記設定位置を設定するための設定順序について、互いに同一の設定順序を使用することを特徴とする基地局装置。
【請求項６】
複数の単位区間で区画された無線フレームを用いて通信する基地局装置であって、
自装置が干渉を与える被干渉基地局装置に対して設定するブランク区間の前記無線フレームにおける設定位置を前記単位区間単位で設定する設定部と、
前記被干渉基地局装置による前記設定位置の適否に関する判定結果を取得する取得部と、を備え、
前記設定部は、前記判定結果が否定的である場合、前記無線フレームに含まれる前記複数の単位区間それぞれに割り当てられた前記設定位置を設定するための設定順序に基づいて定まる次の単位区間に対して前記設定位置を設定するとともに、
端末装置の接続の優先度が互いに異なる複数の基地局装置をそれぞれ被干渉基地局装置としている場合、
これら被干渉基地局装置それぞれに対する前記設定位置を設定するための設定順序について、互いに異なる設定順序を使用することを特徴とする基地局装置。
【請求項７】
複数の単位区間で区画された無線フレームを用いて通信する基地局装置が、干渉を与える被干渉基地局装置に対して設定するブランク区間の前記無線フレームにおける設定位置を設定する方法であって、
前記無線フレームに含まれる前記複数の単位区間それぞれに割り当てられた前記設定位置を設定するための設定順序を設定する設定順序設定ステップと、
前記単位区間ごとにブランク区間の位置を設定する設定ステップと、
前記被干渉基地局装置による前記設定位置の適否に関する判定結果を取得する取得ステップと、
前記設定ステップと前記取得ステップとを繰り返し実行するステップと、を備え、
前記設定ステップは、前記判定結果が否定的である場合、前記設定順序に基づいて定まる次の単位区間に対して前記設定位置を設定するものであり、
前記設定順序設定ステップは、自装置以外の複数の他の基地局装置の内、端末装置が各基地局装置に接続する際の優先度に関して前記被干渉基地局装置よりも優先度が低い他の基地局装置との間で、その被干渉基地局装置に対する前記設定位置を設定するための設定順序について、互いに同一の順序設定に設定することを特徴とするブランク区間の設定方法。
【発明の詳細な説明】
【技術分野】
【０００１】
本発明は、通信システム、基地局装置、及びブランク区間の設定方法に関するものである。
【背景技術】
【０００２】
セル方式の通信システムは、マクロセルとよばれる比較的広い無線通信エリアを形成する大出力のマクロ基地局装置を多数設置することで構築される。
ＬＴＥ（Long Term Evolution）などの通信規格では、マクロ基地局装置のほか、マクロセルよりも狭い範囲のフェムトセルを形成するフェムト基地局装置を設置することも想定されている（非特許文献１参照）。フェムト基地局装置は、マクロ基地局装置よりも小型の基地局装置である。
【０００３】
マクロ基地局装置は、通信システムを管理する通信事業者によって設置されるのに対して、フェムト基地局装置は、主に、通信システムの顧客（ユーザ）である個人や企業などによって設置される。フェムト基地局装置を、例えば、マクロセル内における家屋内又は企業の事業所内などに設置することで、フェムト基地局装置の設置場所における通信環境の改善などを図ることができる。
【０００４】
また、ＬＴＥでは、フェムト基地局装置とは別に、マクロセルよりも範囲が狭いセル（ピコセル）を形成する小型基地局装置（ピコ基地局装置）を設置することも検討されている（非特許文献２参照）。ピコ基地局装置は、マクロセル内において端末が密集することが予想されるような場所に設置され、端末がマクロ基地局装置よりもピコ基地局装置に優先的に接続するようなエリアを設けることで、マクロ基地局装置の通信負荷を軽減し、システム全体のスループットを向上させることができる。
【０００５】
ＬＴＥでは、上述のマクロ基地局装置及びピコ基地局装置は、いずれもｅＮｏｄｅＢ（ｅＮＢ）ともよばれ、通信システムの加入者端末すべてがアクセス可能とされている。つまり、マクロ基地局装置及びピコ基地局装置は、公衆用基地局装置であるということができる。
一方、フェムト基地局装置は、Ｈｏｍｅ  ｅＮＢ（ＨｅＮＢ）ともよばれ、フェムト基地局装置の設置者などが優先して利用できるように、フェムト基地局装置にアクセス可能な端末を制限することが可能である。つまり、フェムト基地局装置は、プライベートな利用が可能な基地局装置である。
【０００６】
ここで、狭小なセルを形成するフェムト基地局装置は、マクロセル内や、ピコセル内に設置される。このため、３種類の基地局装置によるセルが相互に干渉を生じさせることが考えられる。
上述したように、ピコセルはシステム全体のスループット向上のために設置されており、端末がマクロセルよりも優先して接続するように設定される。また、フェムトセルは、主としてプライベートな利用を目的としている場合、公衆用基地局装置であるピコセルやマクロセルの方に端末接続が優先されるように設定される。よって、端末接続における優先度は、一般にフェムトセル、マクロセル、及びピコセルの順に高くなる。
端末は、優先度が高い方に接続されるべきであるので、相互に干渉を生じさせている２つのセルがある場合、優先度の低いセルの方が与干渉側のセルとなる。
【０００７】
セル同士で干渉が生じると、端末側で無線フレーム中の制御信号等の受信が困難となり、通信を維持できなくなる等の不都合が生じる。
そこで、上記干渉を抑制するための方策として、与干渉セルが、自己の使用可能なリソースに、被干渉セルとの間の干渉を回避しうる区間であるブランク区間を設定することが提案されている。
与干渉セルは、被干渉セルへの与干渉を回避したい区間をブランク区間にしておくことで、当該ブランク区間については、被干渉セルへの干渉を低減できる。
このブランク区間は、他の近傍基地局装置から送信される制御信号などの信号を保護するのに有用である。また、ブランク区間は、制御信号の保護に限らず、一部の無線リソースにおいてセル間干渉を回避したい様々な状況において有用である。
【０００８】
上記与干渉セルが設定するブランク区間は、当該ブランク区間に対応する区間においては被干渉セルに積極的に利用させることを目的としているため、与干渉セルは、ブランク区間が設定される設定位置を認識しておく必要がある。
このため、下記非特許文献３には、ブランク区間を設定しようとしている与干渉基地局装置から被干渉基地局装置に向けて送信される、当該与干渉基地局装置が設定しようとしているブランク区間の設定位置に関する情報を含んだ情報（ABS Information）について規定されている。また、被干渉基地局装置から与干渉基地局装置に向けて送信される、前記ブランク区間の設定位置についての適否を示す情報を含んだ情報（ABS Status）についても規定されている。
与干渉基地局装置は、ブランク区間の設定位置の関する情報を取得することにより、ブランク区間の設定位置を認識することができる。
【先行技術文献】
【非特許文献】
【０００９】
【非特許文献１】3GPP, "TS22.220 V10.3.0 Service requirements for Home Node B(HNB) and Home eNode B(HeNB)",2010-06
【非特許文献２】3GPP,"TS36.104 V10.0.0 Base Station(BS) radio transmission and reception", 2010-09
【非特許文献３】3GPP,"TS36.423 V10.2.0 X2 application protocol", 2011-06
【発明の概要】
【発明が解決しようとする課題】
【００１０】
ここで、被干渉基地局装置から与干渉基地局装置に向けて送信される情報は、与干渉基地局装置が設定しようとしているブランク区間の設定位置についての適否を示す情報を含んでおり、どの位置に設定すればよいかまでは示していない。このため、与干渉基地局装置は、ブランク区間の設定位置に関する情報によって示した設定位置が使用できないことは認識できるが、どの位置にブランク区間の設定位置を設定すればよいかまではわからない。
【００１１】
このため、上述のように優先度が異なる複数の基地局装置が存在する中で、共通する干渉関係であるためにブランク区間の設定位置を他の基地局装置との間で同一に設定することができる場合があったとしても、適切に設定することができなかった。
このように、従来の技術では、どの位置にブランク区間の設定位置を設定すればよいかまではわからないために、適切な位置にブランク区間を設定することが困難となる場合があった。
【００１２】
本発明はこのような事情に鑑みてなされたものであり、基地局装置間で、ブランク区間の設定位置を好適に設定することができる通信システム、基地局装置、及びブランク区間の設定方法を提供することを目的とする。
【課題を解決するための手段】
【００１３】
（１）上記目的を達成するための本発明は、複数の単位区間で区画された無線フレームを用いて通信する基地局装置を複数備えた通信システムであって、前記基地局装置は、自装置が干渉を与える被干渉基地局装置に対して設定するブランク区間の前記無線フレームにおける設定位置を前記単位区間単位で設定する設定部と、前記被干渉基地局装置による前記設定位置の適否に関する判定結果を取得する取得部と、を備え、前記設定部は、前記判定結果が否定的である場合、前記無線フレームに含まれる前記複数の単位区間それぞれに割り当てられた前記設定位置を設定するための設定順序に基づいて定まる次の単位区間に対して前記設定位置を設定するものであり、前記基地局装置の内、前記被干渉基地局装置における当該被干渉基地局装置への端末装置による接続の優先度が互いに同一である基地局装置は、その被干渉基地局装置に対する前記設定位置を設定するための設定順序について、互いに同一の設定順序を使用することを特徴としている。
【００１４】
上記のように構成された通信システムによれば、基地局装置は、判定結果が否定的である場合に、設定順序に基づいて定まる次の単位区間に対して設定位置を設定するので、設定位置が適している旨の判定結果を受けうる設定位置が設定されるまで設定位置の設定を繰り返すことで、被干渉基地局装置が適していると判定する設定位置を設定することができる。このため、前記設定順序に従ってブランク区間の設定位置を設定すれば、必ず同一のパターンで設定位置が設定される。
また、本発明では、複数の基地局装置の内、被干渉基地局装置における当該被干渉基地局装置への端末装置による接続の優先度が互いに同一である基地局装置は、その被干渉基地局装置に対する前記設定位置を設定するための設定順序について、互いに同一の設定順序を使用するので、被干渉基地局装置の優先度が互いに同一であることから互いに共通する干渉関係を有する基地局装置の間で、ブランク区間の設定位置を互いに一致させることができる。この結果、複数の基地局装置それぞれによるブランク区間の位置を好適に設定することができる。
【００１５】
（２）前記設定部は、前記判定結果が否定的である場合、すでに設定されている前記ブランク区間の設定位置をそのままに、未だ設定位置として設定されていない単位区間の内、前記設定順序によって定まる次の単位区間に対してさらに前記ブランク区間の設定位置を設定するものであることが好ましく、この場合、すでに設定されている設定位置を変更することなく、次の設定位置を加えればよいので、設定が容易となる。
【００１６】
（３）被干渉基地局装置の優先度が互いに異なる基地局装置同士では、当該基地局装置同士の間で優先度が異なる場合がある。これら基地局装置同士の間で、ブランク区間の設定位置が同一であると、優先度の低い一方の基地局装置は、優先度の高い他方の基地局装置が被干渉基地局装置に対して設定するブランク区間に、ブランク区間を設定してしまうことになる。すると、前記一方の基地局装置は、自装置が設定したブランク区間が他方の基地局装置によって有効に利用されないおそれがある。
このため、前記設定部は、端末装置による接続の優先度が互いに異なる複数の基地局装置をそれぞれ被干渉基地局装置としている場合、これら被干渉基地局装置それぞれに対する前記設定位置を設定するための設定順序について、互いに異なる設定順序を使用することが好ましい。
この場合、設定部は、優先度が互いに異なる複数の被干渉基地局装置ごとに、互いに異なる設定順序を使用するので、優先度が互いに異なる複数の被干渉基地局装置に対してそれぞれ設定されるブランク区間の設定位置を互いに異なるように設定することができる。この結果、有効に利用できないブランク区間を設定してしまうのを防止することができる。
【００１７】
（４）さらに、前記設定部は、前記設定位置を解除する場合、設定したときの設定順序とは逆の順序で前記設定位置を順次解除するものであってもよい。
【００１８】
（５）また、本発明は、複数の単位区間で区画された無線フレームを用いて通信する基地局装置であって、自装置が干渉を与える被干渉基地局装置に対して設定するブランク区間の前記無線フレームにおける設定位置を前記単位区間単位で設定する設定部と、前記被干渉基地局装置による前記設定位置の適否に関する判定結果を取得する取得部と、を備え、前記設定部は、前記判定結果が否定的である場合、前記無線フレームに含まれる前記複数の単位区間それぞれに割り当てられた前記設定位置を設定するための設定順序に基づいて定まる次の単位区間に対して前記設定位置を設定するとともに、自装置以外の複数の他の基地局装置の内、前記被干渉基地局装置における当該被干渉基地局装置への端末装置による接続の優先度が互いに同一である他の基地局装置との間で、その被干渉基地局装置に対する前記設定位置を設定するための設定順序について、互いに同一の設定順序を使用することを特徴としている。
【００１９】
（６）本発明は、複数の単位区間で区画された無線フレームを用いて通信する基地局装置であって、自装置が干渉を与える被干渉基地局装置に対して設定するブランク区間の前記無線フレームにおける設定位置を前記単位区間単位で設定する設定部と、前記被干渉基地局装置による前記設定位置の適否に関する判定結果を取得する取得部と、を備え、前記設定部は、前記判定結果が否定的である場合、前記無線フレームに含まれる前記複数の単位区間それぞれに割り当てられた前記設定位置を設定するための設定順序に基づいて定まる次の単位区間に対して前記設定位置を設定するとともに、端末装置の接続の優先度が互いに異なる複数の基地局装置をそれぞれ被干渉基地局装置としている場合、これら被干渉基地局装置それぞれに対する前記設定位置を設定するための設定順序について、互いに異なる設定順序を使用することが好ましい。
【００２０】
（７）また、本発明は、複数の単位区間で区画された無線フレームを用いて通信する基地局装置が、干渉を与える被干渉基地局装置に対して設定するブランク区間の前記無線フレームにおける設定位置を設定する方法であって、前記無線フレームに含まれる前記複数の単位区間それぞれに割り当てられた前記設定位置を設定するための設定順序を設定する設定順序設定ステップと、前記単位区間ごとにブランク区間の位置を設定する設定ステップと、前記被干渉基地局装置による前記設定位置の適否に関する判定結果を取得する取得ステップと、前記設定ステップと前記受信ステップとを繰り返し実行するステップと、を備え、前記設定ステップは、前記判定結果が否定的である場合、前記設定順序に基づいて定まる次の単位区間に対して前記設定位置を設定するものであり、前記設定順序設定ステップは、自装置以外の複数の他の基地局装置の内、前記被干渉基地局装置における当該被干渉基地局装置への端末装置による接続の優先度が互いに同一である基地局装置との間で、その被干渉基地局装置に対する前記設定位置を設定するための設定順序について、互いに同一の順序設定に設定することを特徴としている。
【００２１】
上記のように構成された基地局装置、及び方法によれば、上述のように、ブランク区間の設定位置を好適に設定することができる。
【発明の効果】
【００２２】
以上のように、本発明によれば、基地局装置間で、ブランク区間の設定位置を好適に設定することができる。
【図面の簡単な説明】
【００２３】
【図１】本実施形態の無線通信システムの構成を示す概略図である。
【図２】各基地局装置に関し、一般のユーザ（端末装置）にとっての接続の優先度を示した図である。
【図３】マクロ基地局装置、ピコ基地局装置、及びフェムト基地局装置（ＣＳＧフェムト基地局装置又はＯｐｅｎフェムト基地局装置）の各基地局装置を接続する基地局間ネットワーク（有線ネットワーク）を示した図である。
【図４】ＬＴＥにおける上り及び下りそれぞれの無線フレームの構造を示す図である。
【図５】ＤＬフレーム（基地局装置の送信フレーム）の詳細な構造を示す図である。
【図６】マクロ基地局装置とピコ基地局装置との間において干渉が生じるおそれのあるときに、マクロ基地局装置の無線フレームにＡＢＳが設定されているときの一例を示す図である。
【図７】基地局装置が行うＡＢＳ情報に関する情報の送受信の態様を示した図である。
【図８】本実施形態のマクロ基地局装置の構成を示すブロック図である。
【図９】与干渉側の基地局装置と、被干渉側の基地局装置との関係の一例を示す図である。
【図１０】マクロ基地局装置がＡＢＳパターンを設定する態様を説明するための図であり、（ａ）は、マクロ基地局装置がＡＢＳパターンを設定する際に、ＡＢＳの設定位置として当該ＡＢＳパターンに加える際の各サブフレームの設定順序を示している。また、（ｂ）は、（ａ）に対応して、ピコ基地局装置が、無線フレーム中の各サブフレームについて、他の基地局装置によるＡＢＳとしての使用の可否を判定したときの判定結果の一例を示している。（ｃ）は、（ａ）及び（ｂ）のように設定されている場合のＡＢＳパターンの設定の態様を段階的に表している。
【図１１】複数の設定順序のパターンを例示した図である。
【図１２】与干渉側の基地局装置と、被干渉側の基地局装置との関係の一例を示す図であり、図９とは異なる他の例を示している。
【図１３】（ａ）は、マクロ基地局装置がＡＢＳパターンを設定する際の、ピコ基地局装置に対するＡＢＳパターンの設定順序を示している。また、（ｂ）は、ＣＳＧ＿フェムト基地局装置がＡＢＳパターンを設定する際の、ピコ基地局装置に対するＡＢＳパターンの設定順序、及び、マクロＢＳ１ａに対するＡＢＳパターンの設定順序を示している。
【図１４】（ａ）は、ピコ基地局装置が、無線フレーム中の各サブフレームについて、他の基地局装置によるＡＢＳとしての使用の可否を判定したときの判定結果の一例、及びこの場合における、マクロ基地局装置によるピコ基地局装置に対するＡＢＳパターンの設定の態様を示す図であり、（ｂ）は、マクロ基地局装置が、無線フレーム中の各サブフレームについて、他の基地局装置によるＡＢＳとしての使用の可否を判定したときの判定結果の一例、及びこの場合における、ＣＳＧ＿フェムト基地局装置によるマクロ基地局装置に対するＡＢＳパターンの設定の態様を示す図である。
【発明を実施するための形態】
【００２４】
以下、本発明の好ましい実施形態について図面を参照しながら説明する。
［１．通信システムの全体構成］
図１は、本実施形態の無線通信システムの構成を示す概略図である。この通信システムは、複数の基地局装置（ＢＳ；Base Station）１を備えたセル方式のシステムである。本実施形態の無線通信システムは、例えば、ＬＴＥが適用される携帯電話用のシステムであり、各基地局装置１と、端末装置（ＵＥ；User Equipment）２との間において、ＬＴＥに準拠した通信が行われる。ただし、通信方式は、ＬＴＥに限られるものではない。
【００２５】
通信システムを構成する複数の基地局装置１には、例えば、数キロメートルの大きさの通信エリア（マクロセル）ＭＣを形成する複数のマクロ基地局装置（Macro Base Station; MBS）１ａのほか、ピコセルＰＣを形成するピコ基地局装置(Pico Base Station; PBS)１ｂ、及び、フェムトセルＦＣを形成するフェムト基地局装置(Femto Base Station;FBS)１ｃを含めることができる。
以下では、マクロ基地局装置をマクロＢＳ、ピコ基地局装置をピコＢＳ、フェムト基地局装置をフェムトＢＳというものとする。
【００２６】
ピコＢＳ１ｂは、マクロセル内に１又は複数設置される。ピコＢＳ１ｂは、マクロＢＳ１ａと同様に、主に、通信事業者によって設置される。マクロセルＭＣ内の端末装置２を、マクロＢＳ１ａではなく、ピコＢＳ１ｂに優先的に接続させることで、マクロＢＳ１ａの通信負荷を軽減させることができ、システム全体のスループットを向上させることができる。
【００２７】
フェムトＢＳ１ｃも、マクロセル内及び／又はピコセル内に１又は複数設置される。フェムトＢＳ１ｃは、主に、通信システムの顧客（ユーザ）である個人や企業などによって設置される。フェムトＢＳ１ｃを設置することで、フェムト基地局装置の設置場所における通信環境の改善などを図ることができる。
【００２８】
フェムトセルＦＣ及びピコセルＰＣは、ともに、マクロセルＭＣよりも狭い通信エリアを持つが、「フェムト」及び「ピコ」という名称が示すように、一般に、フェムトセルＦＣの方が、ピコセルＰＣよりも狭い。
【００２９】
ＬＴＥにおいて、マクロＢＳ１ａ及びピコＢＳ１ｂは、ともに、ｅＮＢ（又は、単にＮＢ）とよばれる基地局装置である。マクロＢＳ１ａ及びピコＢＳ１ｂは、通信事業者によって設置されたものであるため、特別な事情が無い限り、本通信システムの加入者端末すべてがアクセス可能である。つまり、マクロＢＳ１ａ及びピコＢＳ１ｂは、公衆用基地局装置であるということができる。そして、マクロＢＳ１ａよりも小型の（小さいセルを形成する）基地局装置である。
【００３０】
一方、フェムトＢＳ１ｃは、ＨｅＮＢ（又は単に、ＨＮＢ）とよばれる基地局装置である。フェムトＢＳ１ｃは、通信システムの顧客（ユーザ）である個人又は企業などによって保有及び／又は設置される。つまり、フェムトＢＳ１ｃは、個人又は企業などによってプライベートに利用可能な基地局装置であるということができる。
【００３１】
フェムトＢＳ１ｃは、フェムトＢＳ１ｃの設置者又はその関係者などが優先して利用できるように、フェムトＢＳ１ｃにアクセス可能な端末装置２を制限することが可能である。この制限は、基地局装置１に設定されるアクセスモードによって実現される。
アクセスモードとは、基地局装置１が、端末装置２による無線接続の制限を規定するためのモードである。アクセスモードには、オープンアクセスモード、クローズドアクセスモード、及び、ハイブリッドモードの３種類がある。基地局装置は、これら３種類の異なるアクセスモードのいずれかのモードで運用される。
【００３２】
オープンアクセスモードとは、全ての端末装置２が接続可能なモードである。通信事業者が設置するマクロＢＳ１ａ及びピコＢＳ１ｂは、公共性が高いため、通常、オープンアクセスモードで運用される。したがって、通信システムの加入者端末装置２すべてが、すべてマクロＢＳ１ａ又はピコＢＳ１ｂにアクセスすることができる。
【００３３】
クローズドアクセスモードとは、このモードに設定されている基地局装置１を利用可能である端末装置２として登録されている端末装置２のみ、接続が許可されるモードである。端末装置２の登録は、クローズドアクセスモードに設定された基地局装置１においてされていてもよいし、基地局装置１が接続可能な他の装置においてされていてもよい。
以下、単に「フェムトＢＳ１ｃ」といった場合には、クローズドアクセスモードに設定されたフェムトＢＳ１ｃを指すものとする。
また、フェムトＢＳ１ｃが、クローズドアクセスモードに設定されたフェムトＢＳ１ｃであることを特に示したい場合には、クローズドアクセスモードに設定されたフェムトＢＳ１ｃを、「ＣＳＧ（Ｃｌｏｓｅｄ  Ｓｕｂｓｃｒｉｂｅｒ  Ｇｒｏｕｐ）フェムトＢＳ１ｃ」ということがある。
【００３４】
ハイブリッドモードとは、基本的に全ての端末装置２が接続可能であるが、登録されている端末装置２が、登録されていない端末装置２よりも優遇され、登録されていない端末装置２は接続できない場合があり得るモードである。
オープンアクセスモードに設定されたフェムトＢＳ１ｃは、公衆用基地局装置として機能する。以下、オープンアクセスモードに設定されたフェムトＢＳ１ｃを、「ＯｐｅｎフェムトＢＳ」という。
なお、ハイブリッドモードに設定されたフェムトＢＳ１ｃは、ＣＳＧフェムトＢＳとみなしてもよいし、ＯｐｅｎフェムトＢＳとみなしてもよい。
【００３５】
図２は、上記各基地局装置に関し、一般のユーザ（端末装置２）にとっての接続の優先度を示したものである。各基地局装置における端末装置２による接続の優先度は、端末装置２が各基地局装置へ接続する際にいずれの基地局装置に優先的に接続するかを示す度合を相対的に示しており、各基地局装置ごとに設定されている。図に示すように、マクロＢＳ１ａ、ピコＢＳ１ｂ、ＣＳＧフェムトＢＳ１ｃ、及びＯｐｅｎフェムトＢＳ１ｃ−１の間において、接続の優先度は、ＯｐｅｎフェムトＢＳ１ｃ−１が最も高く、続いて、ピコＢＳ１ｂ、マクロＢＳ１ａ、ＣＳＧフェムトＢＳ１ｃの順に設定されている。
【００３６】
端末装置２が接続可能な基地局装置が複数あった場合、端末装置２は、接続の優先度が高いほうに、優先的に接続する。
通常、接続可能な基地局装置が複数ある場合、端末装置２は、信号の受信電力が最も高くなる基地局に接続する。例えば、端末装置２が、複数のマクロＢＳ１ａに接続可能である場合、信号の受信電力が最も高くなる基地局装置への接続（ハンドオーバ）を行うことになる。
【００３７】
これに対し、例えば、端末装置２がマクロＢＳ１ａ及びピコＢＳ１ｂに接続可能である場合において、ピコＢＳ１ｂから送信された信号の受信電力の方が、マクロＢＳ１ａから送信された信号の受信電力よりも、やや小さくても、端末装置２は、優先度の高いピコＢＳ１ｂの方に接続することになる。すなわち、端末装置２は、優先度のより高いピコＢＳ１ｂから送信された信号の電力については、実際の受信電力の大きさに、所定値を加えることで、実際の受信電力の大きさよりも大きいものとみなす。これにより、端末装置２は、優先度の高いピコＢＳ１ｂの方に優先的に接続することになる。これは、マクロセルＭＣよりも小さいピコセルＰＣを形成するピコＢＳ１ｂにできるだけ多くの端末装置２を接続させて、マクロＢＳ１ａの負荷を軽減させるためである。
【００３８】
同様に、端末装置２がピコＢＳ１ｂ及びＯｐｅｎフェムトＢＳ１ｃ−１に接続可能である場合において、ＯｐｅｎフェムトＢＳ１ｃ−１から送信された信号の受信電力の方が、ピコＢＳ１ｂから送信された信号の受信電力よりも、やや小さくても、端末装置２は、優先度の高いＯｐｅｎフェムトＢＳ１ｃ−１の方に接続することになる。これは、ピコセルＰＣよりも小さいフェムトセルＦＣを形成するＯｐｅｎフェムトＢＳ１ｃ−１にできるだけ多くの端末装置２を接続させて、ピコＢＳ１ｂの負荷を軽減させるためである。
【００３９】
また、ＣＳＧフェムトＢＳ１ｃに接続が許可されていない一般の端末装置２は、ＣＳＧフェムトＢＳ１ｃが形成するフェムトセルＦＣ内に位置している場合であっても、ＣＳＧフェムトＢＳ１ｃに接続することができない。つまり、ＣＳＧフェムトＢＳ１ｃから送信された信号の受信電力が、マクロＢＳ１ａ、ピコＢＳ１ｂ、又はＯｐｅｎフェムトＢＳ１ｃ−１から送信された信号の受信電力よりも大きい場合であっても、端末装置２は、優先度の高いマクロＢＳ１ａ、ピコＢＳ１ｂ、又はＯｐｅｎフェムトＢＳ１ｃ−１に接続することになる。
【００４０】
なお、端末装置２が接続可能な複数の基地局装置の優先度（種別）が同じである場合には、端末装置２は、通常通り、信号の受信電力が最も高くなる基地局に接続する。
【００４１】
図３は、マクロＢＳ１ａ、ピコＢＳ１ｂ、及びフェムトＢＳ１ｃ（ＣＳＧフェムトＢＳ又はＯｐｅｎフェムトＢＳ）の各基地局装置を接続する基地局間ネットワーク（有線ネットワーク）を示している。ｅＮＢであるマクロＢＳ１ａ及びピコＢＳ１ｂは、Ｓ１インターフェースとよばれる通信インターフェースによる回線６を介して、ＭＭＥ（Mobility Management Entity）と接続されている。ＭＭＥ３は、端末装置２の位置等の管理を行い、各端末装置２の移動管理についての処理を行うノードである。
さらに、ｅＮＢ間はＸ２インターフェースと呼ばれる通信インターフェースによる回線７によって相互に接続されており、ｅＮＢ間で直接的に情報交換のための通信が可能である。ただし、現行の標準では、フェムトＢＳ１ｃはＸ２インターフェースを持つことができない。
なお、Ｘ２インターフェースによる接続は、図２に示す接続に限られず、任意のｅＮＢ間に設けることができる。
【００４２】
ＨｅＮＢであるフェムトＢＳ１ｃ(ＣＳＧフェムトＢＳ又はＯｐｅｎフェムトＢＳ)は、ＨｅＮＢゲートウェイ（ＧＷ）５を介してＭＭＥ３に接続されている。ＭＭＥ３とゲートウェイ５との間、及び、ゲートウェイ５とフェムトＢＳ１ｃとの間も、それぞれＳ１インターフェースと呼ばれる通信インターフェースによる回線６によって接続されている。
なお、フェムトＢＳ１ｃ(ＣＳＧフェムトＢＳ又はＯｐｅｎフェムトＢＳ)は、ＨｅＮＢゲートウェイ（ＧＷ）５を介さずに、Ｓ１インターフェースによって、ＭＭＥ３と接続されていてもよい。
【００４３】
上記のＳ１インターフェース及びＸ２インターフェースによるネットワークは、各基地局装置１ａ，１ｂ，１ｃの間を有線で接続する基地局間ネットワークを構成している。この基地局間ネットワークには、通信を管理するサーバ（図示省略）などの装置が設置される。
なお、各基地局装置１ａ，１ｂ，１ｃ間は、基地局間ネットワーク等を利用して基地局間同期が確保される。
【００４４】
［２．ＬＴＥのフレーム構造］
本実施形態の通信システムが準拠するＬＴＥにおいて採用可能なＦＤＤ方式においては、上り信号（端末装置から基地局装置への送信信号）と、下り信号（基地局装置から端末装置への送信信号）との間で、互いに異なる使用周波数を割り当てることで、上り通信と下り通信とを同時に行う。
【００４５】
図４は、ＬＴＥにおける上り及び下りそれぞれの無線フレームの構造を示す図である。ＬＴＥにおける下りの基本フレームである無線フレーム（ＤＬフレーム）及び上りの無線フレーム（ＵＬフレーム）は、その１無線フレーム分の時間長さがそれぞれ１０ミリ秒であり、＃０〜＃９まで１０個のサブフレーム（一定の時間長さを持つ通信単位領域）によって構成されている。これらのＤＬフレームとＵＬフレームは、そのタイミングが揃えられた状態で、時間軸方向に配置される。
【００４６】
図５は、ＤＬフレーム（基地局装置の送信フレーム）の詳細な構造を示す図である。図中、縦軸方向は周波数を示しており、横軸方向は時間を示している。
ＤＬフレームを構成するサブフレームは、それぞれ２つのスロットにより構成されている。また、１つのスロットは、７個（♯０〜♯６）のＯＦＤＭシンボルにより構成されている（Normal Cyclic Prefixの場合）。
また、図中、データ伝送の上での基本単位領域であるリソースブロック（ＲＢ：Resource Block）は、周波数軸方向に１２サブキャリア、時間軸方向に７ＯＦＤＭシンボル（１スロット）で定められる。
また、ＤＬフレームの周波数方向の帯域幅は、最大２０ＭＨｚで複数の設定値が規定されている。
【００４７】
図５に示すように、各サブフレームの先頭には、基地局装置１が端末装置２に対し、下り通信に必要な制御チャネルを割り当てるための伝送領域が確保されている。この伝送領域は、各サブフレームにおいて先頭側に位置するスロットのシンボル♯０〜♯２（最大で３シンボル）で割り当てられている。この伝送領域には、ＰＤＣＣＨ（Physical Downlink Control Channel）、ＰＣＦＩＣＨ（Physical Control Format Indicator. Channel）、ＰＨＩＣＨ（Physical HARQ Indicator Channel）などが割り当てられている。
【００４８】
ＤＬフレームを構成する１０個のサブフレームの内、１番目（♯０）及び６番目（♯５）のサブフレームそれぞれには、基地局装置やセルを識別するための制御信号である、第一同期信号（ＰＳＳ：Primary Synchronisation Signal）及び第二同期信号（ＳＳＳ：Secondary Synchronisation Signal）を送信するための領域（Ｐ−ＳＣＨ：Primary Synchronizaiton Channel，Ｓ−ＳＣＨ：Secondary Synchronizaiton Channel）が割り当てられている。
【００４９】
また、ＤＬフレームにおいて、１番目のサブフレーム♯０には、ブロードキャスト送信によってシステムの帯域幅等を端末装置に通知するためのブロードキャストチャネル（ＰＢＣＨ：Physical Broadcast Channel）が割り当てられる。ＰＢＣＨは、時間軸方向において、１番目のサブフレーム♯０における後方側のスロットのシンボル♯０〜♯３の位置に４つのシンボル幅で配置され、周波数軸方向において、ＤＬフレームの帯域幅の中央の位置に６リソースブロック幅分（７２サブキャリア）で割り当てられる。このチャネルは、４フレームにわたって同一の情報を送信することで、４０ミリ秒ごとに更新されるように構成されている。
ＰＢＣＨには、通信帯域幅や、無線フレーム番号等を含んだマスタ情報ブロック（ＭＩＢ：Master Information Block）が格納されている。
【００５０】
上述の各チャネルが割り当てられていない他のリソースブロックは、ユーザデータ等を格納するためのＤＬ共有チャネル（ＰＤＳＣＨ）として用いられる。このＰＤＳＣＨは、複数の端末装置で共有して用いられるエリアである。
ＰＤＳＣＨに格納されるユーザデータの割り当てについては、各サブフレームの先頭に割り当てられているＰＤＣＣＨに格納される、下りの無線リソース割当に関するリソース割当情報により端末装置に通知される。このリソース割当情報は、各ＰＤＳＣＨの無線リソース割当を示す情報であり、端末装置は、このリソース割当情報によって、そのサブフレーム内に自己に対するデータが格納されていることを認識できる。
Ｐ−ＳＣＨ，Ｓ−ＳＣＨ，ＰＢＣＨ、ＰＤＣＣＨその他の制御チャネルには、端末装置２がＰＤＳＣＨにて送信されるデータ信号を受信するために必要な各種の制御信号を含んでいるため、これらの制御チャネルが、電波干渉を受けると、ＰＤＳＣＨによって送信されたデータ信号の受信に支障を来たす。
【００５１】
また、ＰＤＳＣＨには、ユーザデータの他、各端末装置共通の制御信号、各端末装置個別の制御信号等も格納される。ＰＤＳＣＨに格納される制御信号としては、例えばシステム情報ブロック（ＳＩＢ：System Information Block）などの報知情報が挙げられる。
【００５２】
システム情報ブロックとしては、ＳＩＢ１〜ＳＩＢ９がある。ＳＩＢ１が送信されるタイミング等は、ＭＩＢで指定される。ＳＩＢ２〜ＳＩＢ９のスケジューリング情報は、ＳＩＢ１に含まれている。したがって、ＳＩＢなどの報知情報は、端末装置２が基地局装置１との接続を確立してなくても、端末装置が読み取ることができる。なお、ＳＩＢの数は特に限定されるものではない。
【００５３】
［３．ブランクサブフレームについて］
各基地局装置１は、自装置以外の他の基地局装置１に対して干渉を与えるときに、その与干渉を抑制するためのブランクサブフレームを、自装置の無線フレームに設定することができる。
ブランクサブフレームとは、サブフレーム中に実質的にデータ信号がなく、ヌル（ｎｕｌｌ）信号が送信されるサブフレームであり、与干渉側の基地局装置１が、被干渉側の基地局装置１に対する与干渉を抑制するために、当該与干渉側の基地局装置１の無線フレームに設定する。
【００５４】
本実施形態では、ブランクサブフレーム（ブランク区間）として、ＡＢＳ（Almost Blank Subframe）を用いる。ＡＢＳは、データ信号（ＰＤＳＣＨ）は含まないものの、参照信号（ＣＲＳ；Cell-speciffic Reference Signal）及び／又はその他必要とされる最低限の制御信号を含むブランクサブフレームである。
また、ブランクサブフレームは、データ信号が存在しており通信に使用されているサブフレームであっても、そのサブフレームの信号の電力が小さく抑えられており、基地局装置から十分に離れると実質的に使用されていないブランクサブフレームであるとみなせるものであってもよい。
【００５５】
また、ブランクサブフレーム（ブランク区間）としては、ＡＢＳ以外に、ＭＢＭＳ（Multimedia Broadcast Multicast Service）用のサブフレーム（ＭＢＳＦＮ）を用いてもよい。ＭＢＭＳは、ＴＶ放送サービス等のブロードキャストサービスであり、複数の基地局装置から同じ情報を同じリソースを用いて同じタイミングで送信される。
ＭＢＭＳは、ブロードキャストサービスであるため、ＭＢＭＳに用いられるＭＢＳＦＮサブフレームでは、ＭＢＭＳに係る情報の他、当該サブフレームがＭＢＳＦＮサブフレームである旨等の必要最小限の制御情報が制御チャネル（サブフレーム先頭側の２シンボル）を用いて送信され、特定の端末装置に向けた制御情報は送信されない。
【００５６】
本実施形態では、ＭＢＳＦＮを用いる場合、当該ＭＢＳＦＮをブランクとするため、フェムトＢＳ１ｃが送信するＭＢＳＦＮ中のデータ信号としてヌル信号が設定される。ヌル信号を送信するＭＢＳＦＮは、参照信号を含む必要がないため、ＡＢＳよりも、より完全なブランクサブフレームに近いものとなる。
このように、ブランクサブフレーム（ブランク区間）は、信号が全く存在しないものである必要はなく、実質的に信号のブランクが存在するものであれば足りる。
【００５７】
図６は、マクロＢＳ１ａとピコＢＳ１ｂとの間において干渉が生じるおそれのあるときに、マクロＢＳ１ａの無線フレームにＡＢＳが設定されているときの一例を示す図である。
マクロＢＳ１ａ、及びピコＢＳ１ｂは、共に公衆用基地局装置であるが、マクロＢＳ１ａの方が、ピコＢＳ１ｂよりも、端末装置２の接続の優先度が低いので、互いに干渉が生じるおそれのある場合には、マクロＢＳ１ａが与干渉側の基地局装置となり、ピコＢＳ１ｂが被干渉側の基地局装置となる。
従って、図に示すように、マクロＢＳ１ａが、ピコＢＳ１ｂに対する干渉を抑制するためのＡＢＳを、自装置１ａの無線フレームに含まれるサブフレームに設定している。
また、マクロＢＳ１ａは、ピコＢＳ１ｂが制御信号を送信するサブフレーム（区間）に対応するサブフレームをＡＢＳに設定している。
上述のようにＡＢＳには実質的にデータ信号がないので、ピコＢＳ１ｂに接続する端末装置２は、ピコＢＳ１ｂが送信した制御信号（Ｐ−ＳＣＨ、Ｓ−ＳＣＨ、及びＰＢＣＨなど）を受信する際に、マクロＢＳ１ａからの電波干渉を受けることが抑制される。
【００５８】
このように、本実施形態の各基地局装置１は、干渉を与えるおそれのある他の基地局装置１に対して、その与干渉を抑制することができるブランク区間を自装置１の無線フレームに設定する機能を有している。
【００５９】
［４．ＡＢＳ情報について］
被干渉側の基地局装置が、与干渉側の基地局装置の無線フレームに設定されたＡＢＳ（に対応するタイミングのサブフレーム）を利用するために、被干渉側の基地局装置は、与干渉側の基地局装置が設定するＡＢＳのスケジュールについて予め認識しておく必要がある。このため、与干渉側の基地局装置は、ＡＢＳを設定する前に、自装置の無線フレームに設定するＡＢＳの設定位置（スケジュール）を決定し、決定したＡＢＳの設定位置に関する情報を含んだＡＢＳ情報を、被干渉側の基地局装置に送信する。
【００６０】
図７は、基地局装置が行うＡＢＳ情報に関する情報の送受信の態様を示した図である。なお、図７では、与干渉側の基地局装置であるマクロＢＳ１ａ（ＭＢＳ）が、ＡＢＳのスケジュールを設定し、被干渉側の基地局装置であるピコＢＳ１ｂ（ＰＢＳ）との間でＡＢＳに関する情報の送受信を行う場合を示している。
【００６１】
図に示すように、マクロＢＳ１ａは、ＡＢＳを設定することを決定すると、ＡＢＳ情報（ABS Information）を、基地局間ネットワークを介して、被干渉側の基地局装置であるピコＢＳ１ｂに送信する（ステップＳ１）。
ＡＢＳ情報には、マクロＢＳ１ａが自装置の無線フレームに設定しようとしているＡＢＳの設定位置をパターン化して示したＡＢＳパターン情報（ABS pattern Info）が含まれている。マクロＢＳ１ａは、ＡＢＳパターン情報を含んだＡＢＳ情報をピコＢＳ１ｂに送信することで、ピコＢＳ１ｂにＡＢＳの設定位置を認識させることができる。
【００６２】
ピコＢＳ１ｂは、マクロＢＳ１ａが設定しようとしているＡＢＳの設定位置の適否を判定する（ステップＳ２）。より具体的に、ピコＢＳ１ｂは、そのＡＢＳの設定位置がセル間の干渉保護に使用可能か否かを判定する。ピコＢＳ１ｂは、その判定結果である使用可能ＡＢＳパターン情報（Usable ABS Pattern Info）を含むＡＢＳ現状情報（ABS Status）を、基地局間ネットワークを介して、マクロＢＳ１ａに送信する（ステップＳ３）。
使用可能ＡＢＳパターン情報は、マクロＢＳ１ａが設定しようとしているＡＢＳがセル間の干渉保護のために使用可能か否かを示す情報である。従って、これを受け取ったマクロＢＳ１ａは、設定したＡＢＳの設定位置が使用不可と判定されると、再度ＡＢＳの設定位置を設定し直し、再設定したＡＢＳパターンを示すＡＢＳパターン情報を再送信する（ステップＳ４）。
【００６３】
マクロＢＳ１ａは、設定したＡＢＳの設定位置が使用可能と判定されるまで、ＡＢＳの設定位置（ＡＢＳパターン）を設定し直し、ＡＢＳ情報の送信を繰り返す。
与干渉側の基地局装置であるマクロＢＳ１ａと、被干渉側の基地局装置であるピコＢＳ１ｂとは、ＡＢＳ情報とＡＢＳ現状情報の送受信を繰り返すことで、最終的に使用可能なＡＢＳパターンを確定する。
【００６４】
［５．基地局装置の構成］
図８は、本実施形態のマクロＢＳ１ａの構成を示すブロック図である。マクロＢＳ１ａは、信号波の送受信に用いられるアンテナ１１と、アンテナ１１が接続された通信処理部１０と、通信処理部１０にて送受信される信号の処理などを行う信号処理部２０とを備えている。
【００６５】
通信処理部１０は、端末装置２との間で無線通信を行う送受信部１２と、他の基地局装置１との間で基地局間通信を行うための基地局間通信部１３とを備えている。
信号処理部２０は、自装置の無線フレームにＡＢＳを設定する処理を行うＡＢＳ設定部２１と、ＡＢＳを設定する前にＡＢＳの設定位置（ＡＢＳパターン）を設定するＡＢＳパターン設定部２２とを機能的に有している。
ＡＢＳ設定部２１は、ＡＢＳパターン設定部２２が設定したＡＢＳパターンに基づいて、自装置の無線フレームにＡＢＳを設定する。
ＡＢＳパターン設定部２２は、図７で示したように、他の基地局装置にＡＢＳ情報を送信するともに当該他の基地局装置から送信されるＡＢＳ現状情報に含まれる使用可能ＡＢＳパターン情報を取得することで、ＡＢＳパターンの設定を行い、最終的に使用可能なＡＢＳパターンを確定するために必要な処理を行う機能を有している。
また、ＡＢＳパターン設定部２２は、他の基地局装置から送信されるＡＢＳ情報に含まれるＡＢＳパターン情報を取得し、他の基地局装置がＡＢＳを設定しようとしているＡＢＳパターンに対して使用の可否を判定する処理を行う機能も有している。
【００６６】
なお、図８ではマクロＢＳ１ａの構成を示したが、ピコＢＳ１ｂ、フェムトＢＳ１ｃといった他の基地局装置も基本的に同様に構成されている。
【００６７】
［６．ＡＢＳパターンの設定について］
次に、ＡＢＳ設定部２１が行うＡＢＳパターンの設定について説明する。
ＡＢＳの無線フレームにおける設定位置を示すＡＢＳパターンは、上述したように、与干渉側の基地局装置と被干渉側の基地局装置との間で、ＡＢＳ情報とＡＢＳ現状情報の送受信を繰り返すことで、最終的に決定される。
【００６８】
図９は、与干渉側の基地局装置と、被干渉側の基地局装置との関係の一例を示す図である。図９では、ピコＢＳ１ｂに対して複数の基地局装置が干渉を与える可能性がある状態を示している。この場合、複数の基地局装置である２つのマクロＢＳ１ａ（１ａ１，１ａ２）及び１つのＣＳＧ＿フェムトＢＳ１ｃは、ピコＢＳ１ｂを被干渉側の基地局装置とする与干渉側の基地局装置である。
以下の説明では、図９に示すように、被干渉側の基地局装置としてのピコＢＳ１ｂに対して干渉を与える与干渉側の基地局装置としてのマクロＢＳ１ａがＡＢＳパターンを設定する場合における、マクロＢＳ１ａ及びピコＢＳ１ｂそれぞれが行う処理について説明する。
【００６９】
マクロＢＳ１ａ（のＡＢＳパターン設定部２２）は、ＡＢＳパターンを設定する際に、ＡＢＳの設定位置として当該ＡＢＳパターンに加えるときの設定順序に従ってＡＢＳパターンを設定する。マクロＢＳ１ａは、まず設定順序が１番目のサブフレームのみにＡＢＳの設定位置を設ける内容のＡＢＳパターンを設定し、その情報を含んだＡＢＳ情報をピコＢＳ１ｂに送信する。
ここで、上記設定順序とは、ＡＢＳパターンを設定するための順序であり、無線フレームに含まれるサブフレームそれぞれに割り当てられている。なお、上記設定順序の設定については、後に詳述する。
【００７０】
ＡＢＳ情報を受信したピコＢＳ１ｂ（のＡＢＳパターン設定部２２）は、これに含まれるＡＢＳパターンにより示される設定順序１番目のサブフレームにＡＢＳを設定することについて使用可能か否かを判定する。
設定順序１番目のサブフレームにＡＢＳを設定することがピコＢＳ１ｂにおいて使用不可と判定され、その旨のＡＢＳ現状情報をマクロＢＳ１ａが受信したとすると、当該マクロＢＳ１ａは、設定順序１番目のサブフレームにＡＢＳの設定位置を設ける内容をそのままに、設定順序２番目のサブフレームに対してもＡＢＳの設定位置を設ける内容を追加したＡＢＳパターンを設定する。
【００７１】
設定順序１番目及び２番目のサブフレームにＡＢＳの設定位置を設ける内容のＡＢＳパターンについてもピコＢＳ１ｂにおいて使用不可と判定されると、マクロＢＳ１ａは、設定順序１，２番目のサブフレームにＡＢＳの設定位置を設ける内容をそのままに、設定順序３番目のサブフレームにもＡＢＳの設定位置を設ける内容を追加したＡＢＳパターンを設定する。
【００７２】
つまり、マクロＢＳ１ａのＡＢＳパターン設定部２２は、ピコＢＳ１ｂ（被干渉側の基地局装置）によるＡＢＳパターンの判定結果としてのＡＢＳ現状情報が使用不可の判定である場合、無線フレームに含まれるサブフレームそれぞれに割り当てられた設定順序に基づいて定まる次のサブフレームに対してさらにＡＢＳの設定位置を設定する。
また、すでに設定されているＡＢＳの設定位置をそのままに、未だＡＢＳの設定位置として設定されていないサブフレームの内、前記設定順序によって定まる次のサブフレームに対してさらにＡＢＳの設定位置を設定する。
このようにして、いずれかのサブフレームについて使用が許可されたＡＢＳパターンが設定されるまで、マクロＢＳ１ａは、ＡＢＳパターンの設定を行う。
【００７３】
図１０は、マクロＢＳ１ａが上述のようにＡＢＳパターンを設定する態様を説明するための図であり、（ａ）は、マクロＢＳ１ａの無線フレーム中のサブフレームを示しており、各サブフレームに示している数字は、ＡＢＳパターンを設定する際に、ＡＢＳの設定位置として当該ＡＢＳパターンに加える際の各サブフレームの設定順序を示している。また、（ｂ）は、（ａ）に対応して、ピコＢＳ１ｂが、無線フレーム中の各サブフレームについて、他の基地局装置によるＡＢＳとしての使用の可否を判定したときの判定結果の一例を示している。（ｃ）は、図１０（ａ）及び（ｂ）のように設定されている場合のＡＢＳパターンの設定の態様を段階的に表している。
【００７４】
図１０（ａ）、及び（ｂ）のように設定されている場合、マクロＢＳ１ａは、図１０（ｃ）上段に示すように、上記設定順序に従って、設定順序１番目である、紙面左から９番目のサブフレーム＃８にＡＢＳの設定位置を設ける内容のＡＢＳパターンを設定する。
しかし、このサブフレーム＃８は、図１０（ｂ）のように、ピコＢＳ１ｂにおいては使用不可と判定されるので、マクロＢＳ１ａは、その旨のＡＢＳ現状情報を受信する。これを受信したマクロＢＳ１ａは、図１０（ｃ）中段に示すように、サブフレーム＃８に加えて、設定順序２番目である、紙面左から４番目のサブフレーム＃４にＡＢＳの設定位置を設ける内容のＡＢＳパターンを設定する。
【００７５】
この場合においても、サブフレーム＃４は、ピコＢＳ１ｂにおいては使用不可であり、マクロＢＳ１ａは、サブフレーム＃４，＃８が使用不可と判定された旨のＡＢＳ現状情報を受信する。
このためマクロＢＳ１ａは、図１０（ｃ）下段に示すように、サブフレーム＃４，＃８に加え、さらに、紙面左から７番目の設定順序３番目のサブフレーム＃６にＡＢＳの設定位置を設ける内容としたＡＢＳパターンを設定する。
【００７６】
この場合、図１０（ｂ）に示すように、サブフレーム＃６は、ピコＢＳ１ｂにおいては使用可能と判定されるので、マクロＢＳ１ａは、その旨のＡＢＳ現状情報を受信する。このＡＢＳ現状情報は、サブフレーム＃４，＃８については使用不可、サブフレーム＃６については使用可能であることを示しているので、これを受信したマクロＢＳ１ａは、サブフレーム＃６については使用可能であると認識する。サブフレーム＃６については使用可能であると認識したマクロＢＳ１ａのＡＢＳパターン設定部２２は、図１０（ｃ）下段に示すＡＢＳパターンを、自装置の無線フレームに設定するＡＢＳパターンとして決定する。
ＡＢＳパターン設定部２２がＡＢＳパターンを決定すると、ＡＢＳ設定部２１は、そのＡＢＳパターンに基づいて自装置の無線フレームにＡＢＳを設定する。
【００７７】
［７．ＡＢＳパターンを設定するための設定順序の設定について］
本実施形態では、図９に示すように、２つのマクロＢＳ１ａ、及びＣＳＧ＿フェムトＢＳ１ｃは、それぞれが同一のピコＢＳ１ｂに干渉を与えている。
つまり、与干渉基地局装置である各ＢＳ１ａ１，１ａ２，１ｃは、被干渉基地局装置が互いに同一である。この場合、各ＢＳ１ａ１，１ａ２，１ｃでは、当然、各ＢＳの被干渉基地局装置における当該被干渉基地局装置への端末装置による接続の優先度も、互いに同一となる。
そしてこの場合、与干渉基地局装置である各ＢＳ１ａ１，１ａ２，１ｃは、被干渉基地局装置であるピコＢＳ１ｂに対するＡＢＳパターンの設定順序を、互いに同一に設定する。
このように、与干渉基地局装置としての各ＢＳは、被干渉基地局装置の前記優先度が同一であれば、その同一の優先度である被干渉基地局装置に対するＡＢＳパターンの設定順序を同一に設定する。
すなわち、本実施形態において、各ＢＳの内、被干渉基地局装置における前記優先度が互いに同一である基地局装置は、その被干渉基地局装置に対するＡＢＳパターンの設定順序について、互いに同一の設定順序を使用するように構成されている。
【００７８】
本実施形態では、各ＢＳ１ａ１，１ａ２，１ｃが、同一のピコＢＳ１ｂを被干渉側の基地局装置としている場合を示したが、例えば、ＣＳＧ＿フェムトＢＳ１ｃが、図９に示すピコＢＳ１ｂ以外のピコＢＳ１ｂに対して干渉を与えている場合においても、上記と同様の設定がなされる。
この場合、ＣＳＧ＿フェムトＢＳ１ｃと、ＢＳ１ａ１（ＢＳ１ａ２）とは、異なる基地局装置に干渉を与えており、被干渉基地局装置としては同一ではないが、各ＢＳの被干渉基地局装置における優先度が互いに同一である。よって、上記と同様の設定がなされる。
【００７９】
各ＢＳ１ａ１，１ａ２，１ｃは、設定順序を設定する機能を有しているし、他の基地局装置からの情報に基づいて設定する機能も有している。各ＢＳ１ａ１，１ａ２，１ｃは、互いにＸ２インターフェースを用いた基地局間通信を用いて相互に情報交換し、設定順序を共有するとともに当該設定順序を同一に設定している。
【００８０】
また、各ＢＳ１ａ１，１ａ２，１ｃは、図１１に示すような、予め用意された複数の設定順序のパターンを予め記憶しておき、これら複数の設定順序パターンの中から、いずれか一つを選択し、選択したパターンを特定する情報を、基地局間通信等を介して、各ＢＳ１ａ１，１ａ２，１ｃで共有することができる。
この場合、例えば、複数の基地局装置の間で設定順序を同一に設定しようとするごとに、無線フレームに含まれる１０個のサブフレームに対して順序を割り付ける場合と比較して、設定及びその変更が容易となる。
【００８１】
［８．効果について］
上記構成によれば、マクロＢＳ１ａは、設定したＡＢＳパターン（ＡＢＳの設定位置）についてのピコＢＳ１ｂによる判定結果であるＡＢＳ現状情報が、いずれのサブフレームも使用不可であることを示す場合に、前記設定順序に基づいて定まる次のサブフレームに対してＡＢＳの設定位置を設定するので、使用可能である旨（設定位置が適している旨）の判定結果を受けうる設定位置が設定されるまで、ＡＢＳパターン（ＡＢＳの設定位置）の設定を繰り返すことで、被干渉基地局装置が適していると判定するＡＢＳの設定位置を設定することができる。このため、前記設定順序に従ってブランク区間の設定位置を設定すれば、必ず同一のパターンでＡＢＳパターンが設定される。
【００８２】
この点、本実施形態では、図９に示すように、ピコＢＳ１ｂに干渉を与えているマクロＢＳ１ａや、ＣＳＧ＿フェムトＢＳ１ｃ等といったように、端末装置２の接続の優先度が互いに同一となるような基地局装置（ピコＢＳ１ｂ）に干渉を与えている基地局装置が複数存在する場合、これら基地局装置は、その被干渉基地局装置に対するＡＢＳパターンの設定順序については、互いに同一のＡＢＳパターンの設定順序を使用するように構成されている。
このため、被干渉側の基地局装置の優先度が互いに同一であることから互いに共通する干渉関係にある基地局装置の間で、ＡＢＳパターンを互いに一致させることができる。この結果、複数の基地局装置それぞれによるＡＢＳパターンを好適に設定することができる。
【００８３】
また本実施形態では、マクロＢＳ１ａは、すでに設定されているＡＢＳの設定位置をそのままに、未だＡＢＳの設定位置として設定されていないサブフレームの内、前記設定順序によって定まる次のサブフレームに対してさらにＡＢＳの設定位置を設定するので、すでに設定されている設定位置を変更することなく、次の設定位置を加えることができ、設定が容易となる。
【００８４】
［９．ＡＢＳパターンの設定に関する他の例］
図１２は、与干渉側の基地局装置と、被干渉側の基地局装置との関係の一例を示す図であり、図９とは異なる他の例を示している。図１２では、ピコＢＳ１ｂに対してマクロＢＳ１ａが干渉を与える可能性があるとともに、マクロＢＳ１ａに対してＣＳＧ＿フェムトＢＳ１ｃが干渉を与える可能性がある状態を示している。なお、ＣＳＧ＿フェムトＢＳ１ｃはピコＢＳ１ｂに対しては干渉を与える可能性はないものとする。
この場合、ＣＳＧ＿フェムトＢＳ１ｃは、マクロＢＳ１ａを被干渉側の基地局装置とする与干渉側の基地局装置であり、マクロＢＳ１ａは、ピコＢＳ１ｂを被干渉側の基地局装置とする与干渉側の基地局装置である。つまり、図１２では、マクロＢＳ１ａは、与干渉側の基地局装置であるとともに被干渉側の基地局装置でもある。
【００８５】
以下、図１２に示す、ＣＳＧ＿フェムトＢＳ１ｃ及びマクロＢＳ１ａがＡＢＳパターンを設定する場合における、ＣＳＧ＿フェムトＢＳ１ｃ、マクロＢＳ１ａ、及びピコＢＳ１ｂそれぞれが行う処理について説明する。
【００８６】
図１３は、無線フレーム中のサブフレームを示しており、（ａ）は、マクロＢＳ１ａにおいてＡＢＳパターンを設定する際に、ピコＢＳ１ｂに対するＡＢＳの設定位置として当該ＡＢＳパターンに加える際の各サブフレームの設定順序を示している。また、（ｂ）は、ＣＳＧ＿フェムトＢＳ１ｃにおいてＡＢＳパターンを設定する際に、ピコＢＳ１ｂに対するＡＢＳパターンに関する設定順序、及び、マクロＢＳ１ａに対するＡＢＳパターンに関する設定順序を示している。
【００８７】
マクロＢＳ１ａにおけるピコＢＳ１ｂに対するＡＢＳパターンの設定順序は、図１３（ａ）に示すように、１番目のサブフレーム＃０から順に配列に従って１〜１０と設定されている。よって、ＣＳＧ＿フェムトＢＳ１ｃにおいても、マクロＢＳ１ａと同様にピコＢＳ１ｂに対してＡＢＳパターンを設定する場合、ＡＢＳパターンの設定順序は、図１３（ｂ）の上段に示すように、マクロＢＳ１ａにおけるピコＢＳ１ｂに対するＡＢＳパターンの設定順序と同じ設定される。この場合、共に、ピコＢＳ１ｂを被干渉側の基地局装置としており、マクロＢＳ１ａ、及びＣＳＧ＿フェムトＢＳ１ｃは、端末装置２の接続の優先度が互いに同一となるような基地局装置（ピコＢＳ１ｂ）に干渉を与えている複数の基地局装置に相当するからである。これら基地局装置は、上述のように、その被干渉基地局装置に対するＡＢＳパターンの設定順序については、互いに同一の設定順序を使用するように構成されている。
【００８８】
一方、ＣＳＧ＿フェムトＢＳ１ｃにおける、マクロＢＳ１ａに対するＡＢＳパターンの設定順序は、図１３（ｂ）の下段に示すように、ピコＢＳ１ｂに対する設定順序と異なるように設定されている。
つまり、ＣＳＧ＿フェムトＢＳ１ｃでは、被干渉基地局装置となりうる対象として、マクロＢＳ１ａとピコＢＳ１ｂが存在している。マクロＢＳ１ａと、ピコＢＳ１ｂとは、それぞれ、互いに端末装置２の接続の優先度が異なる。
このため、ＣＳＧ＿フェムトＢＳ１ｃは、これら被干渉基地局装置としてのマクロＢＳ１ａ及びピコＢＳ１ｂそれぞれに対して、ＡＢＳパターンを設定する際に、互いに異なる設定順序を使用する。
なお、本実施形態では、ＣＳＧ＿フェムトＢＳ１ｃは、ピコＢＳ１ｂに対して干渉を与える可能性はないので、図１３（ｂ）上段のＡＢＳパターンの設定順序は図１２の例では使用されない。
【００８９】
図１４（ａ）は、ピコＢＳ１ｂが、無線フレーム中の各サブフレームについて、他の基地局装置によるＡＢＳとしての使用の可否を判定したときの判定結果の一例、及びこの場合における、マクロＢＳ１ａによるピコＢＳ１ｂに対するＡＢＳパターンの設定の態様を示す図である。
【００９０】
図１３（ａ）に示したように、マクロＢＳ１ａにおけるピコＢＳ１ｂに対するＡＢＳパターンの設定順序は、１番目のサブフレーム＃０から順に１，２・・と設定されている。よって、マクロＢＳ１ａは、１番目のサブフレーム＃０、２番目のサブフレーム＃１、及び３番目のサブフレーム＃２を順番にＡＢＳの設定位置としてＡＢＳパターンに加える。
３番目のサブフレーム＃２をＡＢＳの設定位置としてＡＢＳパターンに加えると、ピコＢＳ１ｂがこのＡＢＳの設定位置を使用可能と判定するので、マクロＢＳ１ａは、図１４（ａ）に示すＡＢＳパターンを、自装置の無線フレームに設定するＡＢＳパターンとして決定する。
【００９１】
図１４（ｂ）は、マクロＢＳ１ａが、無線フレーム中の各サブフレームについて、他の基地局装置によるＡＢＳとしての使用の可否を判定したときの判定結果の一例、及びこの場合における、ＣＳＧ＿フェムトＢＳ１ｃによるマクロＢＳ１ａに対するＡＢＳパターンの設定の態様を示す図である。
【００９２】
図１３（ｂ）の下段に示したように、ＣＳＧ＿フェムトＢＳ１ｃにおけるマクロＢＳ１ａに対するＡＢＳパターンの設定順序は、９番目のサブフレーム＃８、４番目のサブフレーム＃３、７番目のサブフレーム＃６・・・の順に１，２，３・・・と設定されている。よって、ＣＳＧ＿フェムトＢＳ１ｃは、９番目のサブフレーム＃８、４番目のサブフレーム＃３、及び７番目のサブフレーム＃６を順番にＡＢＳの設定位置としてＡＢＳパターンに加える。
７番目のサブフレーム＃６をＡＢＳの設定位置としてＡＢＳパターンに加えると、マクロＢＳ１ａがこのＡＢＳの設定位置を使用可能と判定するので、ＣＳＧ＿フェムトＢＳ１ｃは、図１４（ｂ）に示すＡＢＳパターンを、自装置の無線フレームに設定するＡＢＳパターンとして決定する。
【００９３】
このとき、ＣＳＧ＿フェムトＢＳ１ｃにおける、マクロＢＳ１ａに対するＡＢＳパターンの設定順序と、マクロＢＳ１ａにおける、ピコＢＳ１ｂに対するＡＢＳパターンの設定順序とが異なるように設定されているので、図１４に示すように、ＣＳＧ＿フェムトＢＳ１ｃにおける、マクロＢＳ１ａに対するＡＢＳパターンと、マクロＢＳ１ａにおける、ピコＢＳ１ｂに対するＡＢＳパターンとは異なるように設定される。
【００９４】
被干渉基地局装置の優先度が互いに異なる基地局装置同士では、当該基地局装置同士の間で優先度が異なる場合がある。この場合、基地局装置同士の間で、ＡＢＳの位置が揃った同一のＡＢＳパターンに設定されていると、優先度の低い一方の基地局装置は、優先度の高い他方の基地局装置が被干渉基地局装置に対して設定するＡＢＳに、ＡＢＳを設定してしまうことになる。すると、前記一方の基地局装置は、自装置が設定したＡＢＳが他方の基地局装置によって有効に利用されないおそれがある。
【００９５】
例えば、ＣＳＧ＿フェムトＢＳ１ｃにおけるマクロＢＳ１ａに対するＡＢＳパターンの設定順序を、マクロＢＳ１ａにおけるピコＢＳ１ｂに対するＡＢＳパターンの設定順序と同一に設定したとする。このとき、図１４（ｂ）の下段に示すように、ＣＳＧ＿フェムトＢＳ１ｃは、まず、１番目のサブフレーム＃０にＡＢＳを設けたＡＢＳパターンを設定する。
しかし、ＣＳＧ＿フェムトＢＳ１ｃは、マクロＢＳ１ａに対するＡＢＳパターンとして１番目のサブフレーム＃０にＡＢＳの設定位置を設けたとしても、マクロＢＳ１ａは、図１４（ａ）のように、１番目のサブフレーム＃０にＡＢＳの設定位置を設けているので、積極的にこの１番目のサブフレーム＃０を使用することはない。従って、ＣＳＧ＿フェムトＢＳ１ｃは、この１番目のサブフレーム＃０にＡＢＳの設定位置を設けたとしても有効に利用できないので、さらに次の設定順序のサブフレームを設定位置として加えたＡＢＳパターンを設定する。
次の設定順序のサブフレームもマクロＢＳ１ａと同一となるので、設定順序に従ってＡＢＳパターンの設定を繰り返すと、結果的に、マクロＢＳ１ａがＡＢＳの設定位置として設定したサブフレームと同じサブフレームに加え、さらに次の設定順序のサブフレームも設定位置として設定するので、マクロＢＳ１ａのＡＢＳパターンよりも一つ多く設定位置を設けたＡＢＳパターンが設定されることとなる。このようにして、ＣＳＧ＿フェムトＢＳ１ｃは、マクロＢＳ１ａによって有効に利用されないＡＢＳを多数設定するおそれがある。
【００９６】
この点、本実施形態では、ＣＳＧ＿フェムトＢＳ１ｃは、端末装置の接続の優先度が互いに異なる複数の被干渉基地局装置としてのマクロＢＳ１ａ及びピコＢＳ１ｂそれぞれに対して、ＡＢＳパターンを設定する際に、互いに異なる設定順序を使用するので、優先度が互いに異なる複数の被干渉基地局装置に対してそれぞれ設定されるＡＢＳパターンを互いに異なるように設定することができる。この結果、有効に利用できないＡＢＳを設定してしまうのを防止することができる。
【００９７】
本発明は、上記各実施形態に限定されるものではない。上記実施形態では、基地局装置がＡＢＳパターンを設定する際の態様について説明したが、ＡＢＳパターンにおいて無線フレームに設けられているＡＢＳの位置を解除する場合も、上述のＡＢＳパターンの設定順序に基づいて行う。
ＡＢＳパターンに設定されているＡＢＳの位置を解除する場合、設定時の設定順序とは逆の順序で順次解除する。これにより、他に影響を与えることなくＡＢＳを解除することができる。
【００９８】
また、上記実施形態では、ＡＢＳパターンの設定順序について、Ｘ２インターフェース等を用いた基地局間通信を介して、複数の基地局装置１同士の間で相互に情報交換し、設定順序を共有する場合を示したが、複数の基地局装置１同士の間で相互に情報交換する手段として、ＯＡＭ（Operation Administration and Maintenance）を用いることもできる。
【００９９】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１００】
１  基地局装置（１ａ：マクロ基地局装置，１ｂ：ピコ基地局装置，１ｃ：フェムト基地局装置）
２  端末装置
１０  通信処理部
１２  送受信部
１３  基地局間通信部
２２  ＡＢＳパターン設定部
【図１】
0005861477.tif 000002
【図２】
0005861477.tif 000003
【図３】
0005861477.tif 000004
【図４】
0005861477.tif 000005
【図５】
0005861477.tif 000006
【図６】
0005861477.tif 000007
【図７】
0005861477.tif 000008
【図８】
0005861477.tif 000009
【図９】
0005861477.tif 000010
【図１０】
0005861477.tif 000011
【図１１】
0005861477.tif 000012
【図１２】
0005861477.tif 000013
【図１３】
0005861477.tif 000014
【図１４】
0005861477.tif 000015